(57)【要約】【課題】  より簡易な操作で複数の音源を調整して重畳するストリーム記録装置、及びストリーム記録装置の制御方法を提供する。【解決手段】  一実施形態に係る撮像装置は、予め生成された第１の音源を取得する第１の音源取得部と、音声を集音して第２の音源を取得する第２の音源取得部と、前記第１の音源を第１のトラックに記録し、前記第２の音源を第２のトラックに記録して、前記第１のトラックと前記第２のトラックとを有する音源データを生成する音声処理部と、映像を撮像する撮像部と、前記映像を表示させる表示部と、前記表示部に対するタッチ操作を受け付ける操作部と、前記映像と、前記音源データと、を動画ファイルとして記録媒体に記録する記録部と、前記操作部による垂直方向のタッチ操作に応じて前記第１のトラックと第２のトラックのうちのいずれかのボリュームを制御する制御部と、を具備する。【選択図】      図１
2016129313.tif 000002
【特許請求の範囲】
【請求項１】
映像を撮像する撮像部と、
前記映像を表示させる表示部と、
前記表示部に対するタッチ操作を受け付ける操作部と、
予め生成された第１の音源を取得する第１の音源取得部と、
音声を集音して第２の音源を取得する第２の音源取得部と、
前記第１の音源を第１のトラックに記録し、前記第２の音源を第２のトラックに記録して、前記第１のトラックと前記第２のトラックとを有する音源データを生成する音声処理部と、
前記映像と、前記音源データと、を動画ファイルとして記録媒体に記録する記録部と、
前記操作部による垂直方向のタッチ操作に応じて前記第１のトラックと前記第２のトラックのうちのいずれかのボリュームを制御する制御部と、
を具備するストリーム記録装置。
【請求項２】
前記第１の音源の振幅の時間的変化を示す第１の音源インジケータ、及び前記第２の音源の振幅の時間的変化を示す第２の音源インジケータを前記映像に重畳させて前記表示部に表示させる表示制御部をさらに具備する請求項１に記載のストリーム記録装置。
【請求項３】
前記制御部は、前記操作部によるタッチ操作が前記表示部に表示された前記第１の音源インジケータ上で開始された場合、前記第１のトラックのボリュームを調整し、前記操作部によるタッチ操作が前記表示部に表示された前記第２の音源インジケータ上で開始された場合、前記第２のトラックのボリュームを調整する請求項２に記載のストリーム記録装置。
【請求項４】
前記音声処理部は、前記第１の音源を前記第１のトラックに記録する場合、前記第１の音源の先頭から前記第１のトラックに記録する、請求項１に記載のストリーム記録装置。
【請求項５】
前記音声処理部は、予め前記第１の音源を再生し、前記第２のトラックの記録開始時の前記第１の音源の再生位置から前記第１のトラックに記録する、請求項１に記載のストリーム記録装置。
【請求項６】
前記制御部は、前記操作部による左右方向のタッチ操作に応じて前記第１のトラックと前記第２のトラックのうちのいずれかのパンニングを制御する請求項１に記載のストリーム記録装置。
【請求項７】
前記記録部は、前記制御部による前記ボリュームの制御の結果を示す制御情報を前記動画ファイルに付加する請求項１に記載のストリーム記録装置。
【請求項８】
映像を撮像する撮像部と、前記映像を表示させる表示部と、前記表示部に対するタッチ操作を受け付ける操作部と、を具備するストリーム記録装置の制御方法であって、
前記ストリーム記録装置は、
予め生成された第１の音源を取得し、
音声を集音して第２の音源を取得し、
前記第１の音源を第１のトラックに記録し、前記第２の音源を第２のトラックに記録して、前記第１のトラックと前記第２のトラックとを有する音源データを生成し、
前記映像と、前記音源データと、を動画ファイルとして記録媒体に記録し、
前記操作部による垂直方向のタッチ操作に応じて前記第１のトラックと前記第２のトラックのうちのいずれかのボリュームを制御する、
ストリーム記録装置の制御方法。
【発明の詳細な説明】
【技術分野】
【０００１】
本発明の実施形態は、ストリーム記録装置、及びストリーム記録装置の制御方法に関する。
【背景技術】
【０００２】
ストリーム記録装置として、動画をストリームとして記録可能な撮像装置、または音声をストリームとして記録可能な録音装置などがある。また例えば、予め装置内に記憶されている複数の音源を重畳してストリームを記録することができるオーディオ処理装置がある。オーディオ処理装置は、例えば、予め装置内に記憶されている背景音楽（ＢＧＭ）と録音した音声（録音音声）とを重畳することができる。
【先行技術文献】
【特許文献】
【０００３】
【特許文献１】特開２０１４−９５８０６号公報
【発明の概要】
【発明が解決しようとする課題】
【０００４】
上記のようなストリーム記録装置では、複数の音源、即ち背景音楽と録音音声とをより簡易な操作で重畳したいという要望がある。また、ストリーム記録装置では、背景音楽及び録音音声のボリュームをより簡易な操作でそれぞれ調整したいという要望がある。
【０００５】
本発明は、より簡易な操作で複数の音源を調整して重畳するストリーム記録装置、及びストリーム記録装置の制御方法を提供することを目的とする。
【課題を解決するための手段】
【０００６】
一実施形態に係るストリーム記録装置は、映像を撮像する撮像部と、前記映像を表示させる表示部と、前記表示部に対するタッチ操作を受け付ける操作部と、予め生成された第１の音源を取得する第１の音源取得部と、音声を集音して第２の音源を取得する第２の音源取得部と、前記第１の音源を第１のトラックに記録し、前記第２の音源を第２のトラックに記録して、前記第１のトラックと前記第２のトラックとを有する音源データを生成する音声処理部と、前記映像と、前記音源データと、を動画ファイルとして記録媒体に記録する記録部と、前記操作部による垂直方向のタッチ操作に応じて前記第１のトラックと第２のトラックのうちのいずれかのボリュームを制御する制御部と、を具備する。
【発明の効果】
【０００７】
より簡易な操作で複数の音源を調整して重畳するストリーム記録装置、及びストリーム記録装置の制御方法を提供することができる。
【図面の簡単な説明】
【０００８】
【図１】図１は、一実施形態に係るストリーム記録装置の外観の例について説明する為の図である。
【図２】図２は、一実施形態に係るストリーム記録装置の外観の例について説明する為の図である。
【図３】図３は、一実施形態に係るストリーム記録装置の構成の例について説明する為の図である。
【図４】図４は、一実施形態に係るストリーム記録装置の表示例について説明する為の図である。
【図５】図５は、一実施形態に係るストリーム記録装置の動作の例について説明する為の図である。
【図６】図６は、一実施形態に係るストリーム記録装置の動作の例について説明する為の図である。
【発明を実施するための形態】
【０００９】
以下、図を参照しながら、一実施形態に係るストリーム記録装置、及びストリーム記録装置の制御方法について詳細に説明する。なおストリーム記録装置の例としてカメラ、ビデオカメラなどの撮像装置を例に挙げて説明するが、ストリーム記録装置は、音声を取得してストリームを含むファイルを生成するものであれば如何なるものであってもよい。
【００１０】
図１は、ストリーム記録装置としての撮像装置１の制御系の例を示す。図２及び図３は、撮像装置１の外観の例を示す。撮像装置１は、動画を撮影しつつ、予め記録媒体Ｍに保存されている背景音楽を動画に付加することができる撮像装置である。
【００１１】
撮像装置１は、レンズ３を通過した被写体像を撮像素子によって画像（スルー画）として取得する。撮像装置１は、このスルー画を液晶モニタ、有機ＥＬディスプレイ等の表示装置にリアルタイムで表示させるライブビュー表示（またはスルー画表示）の機能を備える。また、撮像装置１は、シャッターボタン７ｂが全押し操作された場合に画像を記憶媒体に保存することができる。またさらに、撮像装置１は、録画ボタン７ｃの操作に応じて動画を記憶媒体に保存することができる。
【００１２】
図１に示されるように、撮像装置１は、レンズ３、撮像部４、集音部５、表示部６、操作部７、タッチセンサ８、スピーカ９、制御部１０、画像処理部１１、及びメモリインターフェース（Ｉ／Ｆ）１２を備える。撮像部４、集音部５、表示部６、操作部７、タッチセンサ８、スピーカ９、制御部１０、画像処理部１１、及びメモリインターフェース（Ｉ／Ｆ）１２は、データバス２０を介して互いに接続されている。
【００１３】
また、図２及び図３に示されるように、撮像装置１は、筐体２を備える。筐体２は、上面２ａ、前面２ｂ、背面２ｃ、及び側面２ｄ、側面２ｅ、及び図示されない底面を備える。筐体２上には、撮像装置１のレンズ３、集音部５、表示部６の表示パネル、操作部７の各種のボタン、スピーカ９、及びメモリインターフェース（Ｉ／Ｆ）１２などが配置されている。
【００１４】
レンズ３は、光を受光し、受光した光を撮像部４の撮像素子に結像させる。レンズ３は、筐体２の前面２ｂに配置される。レンズ３は、複数のレンズが組み合わされた光学系を備える。光学系は、例えば、フォーカシング用のレンズ、ズーミング用のレンズ、及び絞り羽根などを含む。レンズ３は、制御部１０の制御に基づいて、光学系のフォーカシング用のレンズを駆動する。
【００１５】
また、撮像装置１は、レンズ３の代わりに交換レンズを装着可能な図示されないマウントを備える構成であってもよい。
【００１６】
撮像部４は、撮像素子と、撮像素子により生成された電荷を量子化するアナログディジタル変換器（Ａ／Ｄ）とを備える。撮像素子は、レンズ３の後部（撮像装置１の筐体２の内部側）に設けられる。撮像素子は、レンズ３を通った被写体像を光電変換する画素が二次元的に複数配列された画素アレイを備える。撮像素子の各画素は、レンズ３を通った光をそれぞれ光電変換し電荷を蓄えることができる。撮像素子は、例えば、Charge Coupled Devices（ＣＣＤ）、Complementary Metal Oxide Semiconductor（ＣＭＯＳ）、または他の二次元撮像素子である。
【００１７】
また、撮像部４は、撮像素子に蓄積された電荷を読み出して信号処理を施す信号処理部をさらに備える。信号処理部は、撮像素子の画素に蓄積された電荷を信号として読み出す。信号処理部は、読み出した信号に対して信号処理を施す。例えば、信号処理部は、読み出した信号に対して例えばアナログ増幅等の所定の信号処理を施し、信号処理を施した信号をＡ／Ｄに出力する。Ａ／Ｄは、信号処理部から供給された信号を量子化し、画像データを取得する。Ａ／Ｄは、制御部１０の制御に基づいて画像データを画像処理部１１、メモリＩ／Ｆ１２、または制御部１０などに出力する。
【００１８】
集音部５は、動画の撮影時に音声を取得する為のステレオマイクを備える。集音部５のステレオマイクは、例えば筐体２の上面２ａに配置される。また、集音部５のステレオマイクは、例えば筐体２の前面２ｂまたは他の面に配置されていてもよい。集音部５は、ステレオマイクによりステレオの音声（録音音声）を取得することができる。また、集音部５は、ステレオマイクによりモノラルの録音音声を取得することもできる。
【００１９】
表示部６は、制御部１０の制御に基づいて種々の情報を表示するモジュールである。表示部６は、表示パネルと、データに基づいて画面を表示パネルに表示させる駆動回路などを備える。表示部６の表示パネルは、例えば筐体２の背面２ｃに配置される。なお、表示パネルは、筐体２とヒンジなどの連結部材により連結され、角度を変えることができる支持体上に配置されていてもよい。
【００２０】
表示部６は、撮像部４によって取得されたスルー画を表示パネルに表示させることができる。この為に、制御部１０は、撮像部４により取得した画像に基づいてスルー画を生成し表示部６に供給する。
【００２１】
さらに、制御部１０は、各種の設定情報及び撮像装置１の状態などに基づいて種々のアイコン及び文字などの表示を含むオンスクリーンディスプレイ（ＯＳＤ）表示を表示部６の表示パネルに表示させるためのＯＳＤデータを生成する。制御部１０は、ＯＳＤデータを表示部６に供給する。
【００２２】
例えば、制御部１０は、撮像装置１の撮影モード、各種の設定情報、バッテリー残量、撮影可能枚数及び撮影可能時間、並びにＡＦエリアなどを表示部６の表示パネルに表示させるためのＯＳＤデータを生成する。またさらに、制御部１０は、集音部５により取得した録音音声、または動画にミキシングする為の背景音楽などの音源を視覚的にユーザに認識させる為の表示（音源インジケータ）を表示パネルに表示させるためのＯＳＤデータを生成する。制御部１０は、スルー画にＯＳＤデータに基づくＯＳＤ表示を重畳させるように表示部６を制御する。
【００２３】
表示部６は、制御部１０の制御に基づいてスルー画にＯＳＤデータに基づくＯＳＤ表示を重畳させて表示パネルに表示させる。
【００２４】
操作部７は、撮像装置１のユーザによる操作を受け付ける各種の操作ボタンを備える。制御部１０は、操作部７の各種の操作ボタンの操作に基づいて、静止画及び動画の撮影、再生、及び各種の設定の変更などの動作を制御する。
【００２５】
図２及び図３に示されるように、操作部７は、電源スイッチ７ａ、シャッターボタン７ｂ、録画ボタン７ｃ、ＭＥＮＵボタン７ｄ、十字ボタン７ｅ、ＯＫボタン７ｆ、及び再生ボタン７ｇなどを備える。例えば、電源スイッチ７ａ、及びシャッターボタン７ｂは、筐体２の上面２ａに配置される。また、例えば、録画ボタン７ｃ、ＭＥＮＵボタン７ｄ、十字ボタン７ｅ、ＯＫボタン７ｆ、及び再生ボタン７ｇは、筐体２の背面２ｃに配置される。
【００２６】
電源スイッチ７ａは、撮像装置１の電源の状態をＯＮ／ＯＦＦとで切り替える為のスイッチである。
【００２７】
シャッターボタン７ｂは、撮像装置１にレリーズ動作及びオートフォーカス（ＡＦ）動作を行わせるためのボタンである。例えばシャッターボタン７ｂが半押しされた場合、撮像装置１は、オートフォーカス動作を行う。即ち、撮像装置１は、ＡＦエリア内での対象物に焦点を合わせるようにレンズ３を制御する。
【００２８】
また、例えばシャッターボタン７ｂが全押しされた場合、撮像装置１は、撮影を実行する。即ち、シャッターボタン７ｂが全押しされた場合、制御部１０は、設定情報に基づいて撮像部４により電荷を生成し、生成された電荷から画像データを生成する。さらに、制御部１０は、生成した画像データに対して画像処理部１１により画像処理を施し、メモリＩ／Ｆ１２に装着されている記録媒体Ｍに保存する。
【００２９】
録画ボタン７ｃ、撮像装置１に動画撮影を実行させる為のボタンである。制御部１０は、録画ボタン７ｃが押された場合、動画の撮影を開始する。これにより、撮像装置１は、映像及び音声を音源として取得する。また、制御部１０は、動画撮影中に録画ボタン７ｃが押された場合、動画の撮影を停止する。この場合、制御部１０は、取得した映像及び音源を用いて動画のデータ（動画ファイル）を生成する。制御部１０は、生成した動画ファイルをメモリＩ／Ｆ１２に装着されている記録媒体Ｍに保存する。即ち、制御部１０は、映像と、前記音源と、のデータを動画ファイルとして記録媒体Ｍに記録する記録部として機能する。
【００３０】
撮像装置１の制御部１０は、動画の撮影を開始した場合、撮像部４の撮像素子から連続的に電荷を読み出すように制御することにより、連続した複数の画像（フレーム）から成る映像を取得する。また、制御部１０は、動画の撮影を開始した場合、ステレオマイクにより音声を録音するように集音部５を制御することにより、録音音声を取得する。制御部１０は、取得した映像と録音音声とに基づいて、映像と音声とを同時に再生可能な動画ファイルを生成することができる。
【００３１】
ＭＥＮＵボタン７ｄは、ＭＥＮＵ画面を撮像装置１に開かせる為のボタンである。撮像装置１は、ＭＥＮＵボタン７ｄが押された場合、メニュー画面を表示部６の表示パネルに表示させる。
【００３２】
十字ボタン７ｅは、ユーザ（撮影者）による上下左右の操作を受け付ける為のボタンである。例えば、撮像装置１は、十字ボタン７ｅの操作に応じて、ＡＦエリアを移動させることができる。また、十字ボタン７ｅは、中央にＯＫボタン７ｆを備える。撮像装置１は、メニュー画面が表示されている状態での十字ボタン７ｅの操作に応じて、メニュー中の選択項目を切り替えることができる。また、撮像装置１は、ＯＫボタン７ｆの操作に応じて各種の設定情報の変更を実行することができる。こうしたボタン操作で、ユーザは様々な撮影の為のパラメータ及び設定の変更を行うことが出来る。
【００３３】
再生ボタン７ｇは、記録媒体Ｍに記録されている画像及び動画の再生を撮像装置１に実行させる為のボタンである。制御部１０は、再生ボタン７ｇが押された場合、撮像装置１の動作モードを再生モードに切り替える。制御部１０は、再生ボタン７ｇが押された場合、記録媒体Ｍに保存されている画像または動画のリスト（再生リスト）を表示部６の表示パネルに表示させる。さらに、制御部１０は、再生リスト内で画像または動画が選択された場合、選択された画像または動画を再生する。
【００３４】
また、制御部１０は、操作部７のいずれかのボタンの操作に応じて記録媒体Ｍに記録されている画像及び動画の消去を撮像装置１に実行させてもよい。この場合、制御部１０は、画像または動画の再生中の操作に応じて記録媒体Ｍに保存されている画像または動画を消去する。
【００３５】
また、制御部１０は、操作部７のいずれかのボタンの操作に応じて表示部６の表示パネルに表示させるＯＳＤ表示を切り替えてもよい。この場合、制御部１０は、操作に応じてスルー画のみを表示パネルに表示させる状態と、スルー画に簡易なＯＳＤ表示を重畳させて表示パネルに表示させる状態と、スルー画に詳細なＯＳＤ表示を重畳させて表示パネルに表示させる状態とを切り替える。
【００３６】
タッチセンサ８は、例えば抵抗膜式タッチセンサ、または静電容量式タッチセンサである。タッチセンサ８は、表示部６の表示パネルと一体に形成される。制御部１０は、表示パネルに各種のパラメータを変更する為のボタン及び、撮像装置１に種々の動作を行わせるためのボタンを表示させ、タッチセンサ８による上記ボタンへの操作に応じてボタンに応じた処理を撮像装置１に行わせる。
【００３７】
スピーカ９は、供給される信号に基づいて音を出力する。例えば、スピーカ９は、筐体２の背面２ｃに配置されている。なお、スピーカ９は、筐体２のどの面に配置されていてもよい。制御部１０は、例えば記録媒体Ｍに記憶されている動画の音声を再生してスピーカ９から出力することができる。また、スピーカ９は、ユーザに種々の情報を報知する為の音（例えばビープ音など）を制御部１０の制御に基づいて出力することができる。
【００３８】
制御部１０は、撮像装置１の各種の動作を制御する制御部である。制御部１０は、例えばＣＰＵ、ＲＯＭ、ＲＡＭ、及び不揮発性メモリなどを備える。ＲＯＭは、撮像装置１を制御する為のプログラム、各種の機能を実現する為のプログラム、及び各種の設定情報などを記憶する。ＣＰＵは、種々の演算処理を実行する演算素子である。ＲＡＭは、ＣＰＵによる演算の結果、ＣＰＵにより読み込まれたデータなどを一時的に記憶する。不揮発性メモリは、プログラムで用いられる制御データ、及び各種の設定値などを記憶する。制御部１０は、操作部７またはタッチセンサ８から供給された操作信号に基づいて、ＲＯＭに記憶されているプログラムを実行し、撮像装置１の各部の動作を制御することができる。
【００３９】
画像処理部１１は、制御部１０の制御に基づいて、撮像部４により生成された静止画または映像に対して、色補正、ガンマ(γ)補正、コントラスト補正、白黒・カラーモード処理、及びライブビュー画像処理（スルー画の生成）などの各種の画像処理を行う。
【００４０】
さらに、画像処理部１１は、撮像部４により生成された静止画または映像に基づいて露出制御等に用いる被写体輝度情報を取得する。制御部１０は、被写体輝度情報に基づいて撮像部４の露出の制御を行う。
【００４１】
またさらに、画像処理部１１は、制御部１０の制御に基づいて、撮像部４により生成された静止画をＪｐｅｇ方式で圧縮し、Ｊｐｅｇ方式の画像データ（Ｊｐｅｇデータ）を生成する。制御部１０は、ＪｐｅｇデータをメモリＩ／Ｆ１２に装着された記録媒体Ｍに出力する。これにより、撮像装置１は、撮像された画像のＪｐｅｇデータを記録媒体Ｍに保存することができる。
【００４２】
またさらに、画像処理部１１は、制御部１０の制御に基づいて、撮像部４により生成された映像の信号を所定の方式でエンコードすることもできる。
【００４３】
メモリＩ／Ｆ１２は、制御部１０の制御に基づいて、記録媒体Ｍと撮像装置１の各部との間でのデータの入出力を制御する。メモリＩ／Ｆ１２は、記録媒体Ｍを挿入可能なカードスロットなどを備える。記録媒体Ｍは、複数の接触端子を備える。また、メモリＩ／Ｆ１２は、記録媒体Ｍがカードスロットに挿入された場合に記録媒体Ｍの接触端子と電気的に接続される接触端子を備える。これにより、撮像装置１は、記録媒体Ｍにデータを記録することと、記録媒体Ｍからデータを読み出すこととを実行することができる。
【００４４】
また、例えば、制御部１０は、プログラムを実行することにより撮影制御部１０ａ、画像処理制御部１０ｂ、操作判定部１０ｃ、表示制御部１０ｄ、記録制御部１０ｅ、及び音声処理部１０ｆなどとして動作することができる。またさらに、制御部１０は、時計１０ｇを備える。
【００４５】
撮影制御部１０ａは、操作入力に従って、撮影に関する各種の制御を行う。例えば、撮影制御部１０ａは、操作入力に従って撮影の為のパラメータなどを変更することができる。また、撮影制御部１０ａは、操作入力に従って撮像部４に静止画の撮影、または動画の撮影を実行させることができる。
【００４６】
画像処理制御部１０ｂは、上記のような画像処理部１１による画像処理を制御する。
【００４７】
操作判定部１０ｃは、操作部７またはタッチセンサ８により入力された操作の判定を行う。さらに、操作判定部１０ｃは、入力された操作の判定の結果に基づいて撮像装置１の各部を制御する為の制御信号を生成する。
【００４８】
表示制御部１０ｄは、表示部６による表示処理を制御する。例えば、表示制御部１０ｄは、表示部６の表示パネルに表示させる各種の画面の生成、及び表示パネルにＯＳＤ表示を表示させる為のＯＳＤデータの生成などを行う。
【００４９】
記録制御部１０ｅは、メモリＩ／Ｆ１２に装着された記録媒体Ｍに対して各種のデータを記録する処理を制御する。即ち、記録制御部１０ｅは、記録媒体Ｍに保存するデータをメモリＩ／Ｆ１２を介して記録媒体Ｍに記録することができる。例えば、記録制御部１０ｅは、記録媒体Ｍに静止画のデータ、及び動画ファイルなどを記録することができる。またさらに、記録制御部１０ｅは、記録媒体Ｍに記録されているデータを更新、または上書きする処理を実行することができる。
【００５０】
音声処理部１０ｆは、集音部５により取得した録音音声の信号を所定の方式でエンコードする。さらに、音声処理部１０ｆは、動画ファイルに背景音楽を付加することができる。またさらに、音声処理部１０ｆは、操作入力に従って、動画ファイルの録音音声のボリューム及び左右のバランス（パンニング）の調整、並びに動画ファイルの背景音楽のボリューム及びパンニングの調整を行うことができる。
【００５１】
時計１０ｇは、時間を計るモジュールである。制御部１０は、時計１０ｇから時刻情報を取得することができる。時刻情報は、日時を示す情報である。制御部１０は、静止画または動画を記録媒体Ｍに記録する場合、記録するデータに時刻情報を付加することができる。これにより、制御部１０は、静止画または動画が生成された日時を示す情報をデータに付加することができる。またさらに、制御部１０は、時刻情報に基づいて、動画の撮影を開始してからの経過時間を計ることができる。
【００５２】
記録媒体Ｍは、音楽ファイル記録することができる。制御部１０の音声処理部１０ｆは、記録媒体Ｍに記録されている音楽ファイルを背景音楽として用いることができる。なお、音楽ファイルは、予め記録媒体Ｍに記憶されていてもよいし、撮像装置１により記録されたものであってもよい。また、制御部１０は、動画ファイルの音声を抽出し、抽出した音声を背景音楽として用いる構成であってもよい。
【００５３】
また、撮像装置１は、例えば無線ＬＡＮまたはＵＳＢ（登録商標）などにより構成された通信部をさらに備えていてもよい。撮像装置１が通信部を備える場合、制御部１０は、通信部を介して入力された音楽ファイルを記録媒体Ｍに記録する構成であってもよい。
【００５４】
上記したように、撮像装置１は、動画を撮影しつつ、予め記録媒体Ｍに保存されている背景音楽を動画に付加することができる。本実施形態では、撮像装置１は、映像を再生する為のデータ（映像データ）と、録音音声及び背景音楽などを含む音源データと、を有する動画ファイルを生成することができる。撮像装置１は、映像データと音源データとをそれぞれ所定のコーデックでエンコードすることにより、動画ファイルを生成することができる。例えば、撮像装置１は、映像データをＨ．２６４、またはＭＰＥＧ−２などのコーデックを用いてエンコードする。また、例えば、撮像装置１は、音源データをPulse Code Modulation（ＰＣＭ）などのコーデックを用いてエンコードする。
【００５５】
ＰＣＭによりエンコードされた音源データは、各トラック毎に異なる音源が割り当てられた複数のトラックを備えていてもよい。例えば、音源データは、背景音楽（第１の音源）が割り当てられたトラック（第１のトラック）と、動画の撮影時の録音音声（第２の音源）が割り当てられたトラック（第２のトラック）と、を備える。即ち、音声処理部１０ｆは、第１の音源を取得する第１の音源取得部として機能する。また、集音部５及び音声処理部１０ｆは、第２の音源を取得する第２の音源取得部として機能する。さらに、音声処理部１０ｆは、動画の撮影時に第１の音源を第１のトラックに記録し、第２の音源を第２のトラックに記録して、第１のトラックと第２のトラックとを有する音源データを生成する。
【００５６】
さらに、音源データは、各トラック毎の制御情報を備える。制御情報は、トラック毎に、時間枠毎のパンニングを示す情報と、時間枠毎のボリュームを示す情報とを有する。なお、時間枠は、音源データの再生時間以内であれば如何なる長さで設定されていてもよい。制御部１０は、操作部７またはタッチセンサ８などによる操作に応じて、第１のトラックと第２のトラックとのうちのいずれかのボリューム、またはパンニングを制御する。
【００５７】
制御部１０は、動画ファイルを再生する場合、映像データを再生することにより映像を表示部６の表示パネルに表示させる。また、制御部１０は、音源データの録音音声が記録された第１のトラックと、背景音楽が記録された第２のトラックと、をそれぞれ再生し、スピーカ９から出力させる。
【００５８】
なお、制御部１０は、第１のトラックのボリュームと、第２のトラックのボリュームと、をそれぞれ制御情報に基づいて制御する。またさらに、制御部１０は、第１のトラックのパンニングと、第２のトラックのパンニングとをそれぞれ制御情報に基づいて制御する。
【００５９】
より具体的には、制御部１０は、第１のトラックのボリュームを、制御情報が示す第１のトラックの時間枠毎のボリュームに合わせる。また、制御部１０は、第１のトラックのパンニングを、制御情報が示す時間枠毎のパンニングに合わせる。また、制御部１０は、第２のトラックのボリュームを、制御情報が示す第２のトラックの時間枠毎のボリュームに合わせる。また、制御部１０は、第２のトラックのパンニングを、制御情報が示す時間枠毎のパンニングに合わせる。
【００６０】
図４は、表示部６により表示されるスルー画を含むライブビュー表示の例を示す。  
ライブビュー表示は、例えば、スルー画４０１、第１の音源インジケータ４０２、及び第２の音源インジケータ４０３などを含む。さらに、ライブビュー表示は、撮影モードを示すアイコン、シャッター速度を示すインジケータ、絞り値を示すインジケータ、露出値を示すインジケータ、各種の設定情報（撮像の為のパラメータ）を示すアイコン、撮影可能枚数及び撮影可能時間を示すインジケータ、バッテリー残量を示すインジケータ、及びＡＦエリアを示すインジケータなどを含んでいてもよい。
【００６１】
例えば、撮像装置１が撮影モードで動作する場合、制御部１０は、撮像部４により取得した画像からスルー画４０１を生成し、表示部６の表示パネルに表示させる。さらに、制御部１０は、撮像装置１の撮影モード、各種の設定情報、バッテリー残量、撮影可能枚数及び撮影可能時間、並びにＡＦエリアなどを表示部６の表示パネルに表示させるためのＯＳＤデータを生成し、スルー画４０１に重畳させる。なお、撮像装置１は、撮影モードとして複数のモードを有する。例えば、撮像装置１は、絞り優先モード、シャッター速度優先モード、オートモード、マニュアルモード、動画撮影モード、及び背景音楽付加モードなどの種々の撮影モードを有する。
【００６２】
撮像装置１は、背景音楽付加モードで動作する場合、操作に応じて動画を撮影し、さらに撮影した動画に背景音楽を付加する。撮像装置１が背景音楽付加モードで動作する場合、制御部１０は、動画に付加する背景音楽に基づいて背景音楽の波形（背景音楽波形）を生成し、生成した背景音楽波形を第１の音源インジケータ４０２としてスルー画４０１に重畳させる。例えば、制御部１０は、背景音楽を先頭からリピートさせた状態で背景音楽波形を生成し、第１の音源インジケータ４０２としてスルー画４０１に重畳させる。
【００６３】
第１の音源インジケータ４０２は、背景音楽を視覚的にユーザに認識させる為の表示である。例えば、第１の音源インジケータ４０２は、背景音楽の振幅の時間的変化を示す音声波形である。なお、第１の音源インジケータ４０２、背景音楽の時間的変化を示すものであれば如何なるものであってもよい。
【００６４】
撮像装置１が背景音楽付加モードである場合に録画ボタン７ｃが操作された場合、制御部１０は、動画の撮影を開始するように各部を制御する。この場合、制御部１０は、集音部５により取得した録音音声に基づいて録音音声の波形（録音音声波形）を生成し、生成した録音音声波形を第２の音源インジケータ４０３としてスルー画４０１に重畳させる。またさらに、制御部１０は、動画の撮影が開始された場合、背景音楽を再生してスピーカ９から出力させてもよい。
【００６５】
第２の音源インジケータ４０３は、録音音声を視覚的にユーザに認識させる為の表示である。例えば、第２の音源インジケータ４０３は、録音音声の振幅の時間的変化を示す音声波形である。なお、第２の音源インジケータ４０３、録音音声の時間的変化を示すものであれば如何なるものであってもよい。例えば、制御部１０は、第１の音源インジケータ４０２により示される背景音楽波形の先頭に録音音声波形の先頭を合わせて第２の音源インジケータ４０３を表示させてもよい。
【００６６】
またさらに、制御部１０の表示制御部１０ｄは、第１の音源インジケータ４０２における背景音楽の再生位置及び第２の音源インジケータ４０３における録音音声の記録位置を示す位置インジケータ４０４をスルー画４０１に重畳させて表示させる。これにより、撮像装置１の操作者は、背景音楽の再生位置及び録音音声の記録位置を視覚的に認識することができる。
【００６７】
またさらに、制御部１０は、撮像装置１が背景音楽付加モードである場合に動画の撮影開始前に背景音楽の再生を開始する構成であってもよい。この場合、制御部１０は、背景音楽波形を生成してスルー画４０１に第１の音源インジケータ４０２を重畳させつつ背景音楽を再生してスピーカ９から出力させる。またさらに制御部１０は、背景音楽の時間的な再生位置をユーザが視覚的に認識することができるように第１の音源インジケータ４０２の表示を逐次更新する。例えば、制御部１０は、背景音楽波形上での再生位置と、位置インジケータ４０４とが一致するように第１の音源インジケータ４０２及び位置インジケータ４０４の表示を逐次更新する。
【００６８】
さらに、制御部１０は、タッチセンサ８による操作入力に応じて背景音楽及び録音音声のボリューム及びパンニングをそれぞれ調整することができる。例えば、制御部１０は、タッチセンサ８により垂直方向のスライド操作が入力された場合、背景音楽または録音音声のボリュームを調整する。より具体的には、制御部１０は、タッチセンサ８により上方向のスライド操作が入力された場合にスライド量に応じて背景音楽または録音音声のボリュームを増加させ、タッチセンサ８により下方向のスライド操作が入力された場合にスライド量に応じて背景音楽または録音音声のボリュームを減少させる。
【００６９】
また例えば、制御部１０は、タッチセンサ８により左右方向のスライド操作が入力された場合、背景音楽または録音音声のパンニングを調整する。より具体的には、制御部１０は、タッチセンサ８により右方向のスライド操作が入力された場合にスライド量に応じて背景音楽または録音音声の音像位置を右に移動させ、タッチセンサ８により左方向のスライド操作が入力された場合にスライド量に応じて背景音楽または録音音声の音像位置を左に移動させる。
【００７０】
制御部１０は、最初にタッチされた位置に応じて、背景音楽と録音音声のどちらのボリューム及びパンニングを変更するのかを判断する。例えば、制御部１０は、第１の音源インジケータ４０２の表示中に第１の音源インジケータ４０２上でタッチ操作が開始され、且つ最初のタッチ位置から垂直方向にタッチ位置がスライドされた場合、背景音楽のボリュームを変更する。また、制御部１０は、最初のタッチ位置から水平方向にタッチ位置がスライドされた場合、背景音楽のパンニングを変更する。
【００７１】
また例えば、制御部１０は、第２の音源インジケータ４０３の表示中に第２の音源インジケータ４０３上でタッチ操作が開始され、且つ最初のタッチ位置から垂直方向にタッチ位置がスライドされた場合、録音音声のボリュームを変更する。また、制御部１０は、最初のタッチ位置から水平方向にタッチ位置がスライドされた場合、録音音声のパンニングを変更する。
【００７２】
なお、制御部１０は、第１の音源インジケータ４０２及び第２の音源インジケータ４０３の表示中に表示パネル上のどの位置でタッチ操作が開始されても録音音声のボリューム及びパンニングを制御する構成であってもよい。この場合、制御部１０は、最初のタッチ位置から垂直方向にタッチ位置がスライドされた場合に録音音声のボリュームを変更し、最初のタッチ位置から水平方向にタッチ位置がスライドされた場合、録音音声のパンニングを変更する。また、制御部１０は、第１の音源インジケータ４０２及び第２の音源インジケータ４０３の表示中に表示パネル上のどの位置でタッチ操作が開始されても背景音楽のボリューム及びパンニングを制御する構成であってもよい。この場合、制御部１０は、最初のタッチ位置から垂直方向にタッチ位置がスライドされた場合に背景音楽のボリュームを変更し、水平方向にタッチ位置がスライドされた場合に背景音楽のパンニングを変更する。
【００７３】
またさらに、制御部１０は、表示パネル上の垂直方向のスライド操作に応じて背景音楽または録音音声のボリュームを制御するのではなく、背景音楽と録音音声とのボリュームのバランス（音源バランス）を調整する構成であってもよい。即ち、制御部１０は、上下方向のスライド操作の入力に応じて、録音音声の背景音楽に対する割合を増減させるように音源バランスを調整する。例えば、制御部１０は、上方向のスライド操作の入力に応じて、録音音声の背景音楽に対する割合を増加させるように音源バランスを調整する。また、例えば、制御部１０は、下方向のスライド操作の入力に応じて、録音音声の背景音楽に対する割合を減少させるように音源バランスを調整する。この場合、基準となるボリューム（マスターボリューム）が例えば制御部１０の不揮発性メモリなどに予め設定されているとする。制御部１０は、マスターボリュームと音源バランスとに基づいて、録音音声及び背景音楽のボリュームをそれぞれ制御する。例えば、制御部１０は、マスターボリュームに応じた音量内の録音音声と背景音楽との割合を音源バランスに基づいて設定する。またさらに、制御部１０は、左右方向のスライド操作に応じてマスターボリュームを増減させる構成であってもよい。この構成によると、ユーザは、一つの操作で制御部１０は、録音音声及び背景音楽の音量を調整することができる。この結果、撮像装置１は、より簡易な操作で複数の音源を調整して重畳することができる。
【００７４】
なお、制御部１０は、背景音楽または録音音声のボリューム及びパンニングの調整を行う場合、予め設定された時間枠毎にボリューム及びパンニングの値を調整する。制御部１０は、ボリューム及びパンニングの値を調整する為の操作が入力された場合、位置インジケータ４０４により示された位置を含む時間枠のボリューム及びパンニングの値を調整する。なお、位置インジケータ４０４が時間枠を跨ぐ場合、制御部１０は、ボリューム及びパンニングの値をデフォルトの値に戻す構成であってもよいし、調整されたボリューム及びパンニングの値を維持する構成であってもよい。
【００７５】
制御部１０は、動画の記録中に録画ボタン７ｃが操作された場合、動画の記録を終了する。この場合、制御部１０は、取得した映像データと、録音音声及び背景音楽を含む音源データと、トラック毎に時間枠毎のパンニングを示す情報（パンニングの値）と時間枠毎のボリュームを示す情報（ボリュームの値）とを含む制御情報と、を動画ファイルとして記録媒体Ｍに記録する。この為に、制御部１０は、時間枠毎に操作入力に応じて調整されたパンニングの値とボリュームの値とを逐次ＲＡＭなどに記憶しておき、動画の記録終了時に制御情報として動画ファイルに含めて記録する。
【００７６】
なお、制御部１０は、タッチセンサ８による垂直方向及び水平方向のスライド操作に応じてトラック毎のボリュームの値とパンニングの値と調整すると説明したが、この構成に限定されない。例えば、制御部１０は、十字ボタン７ｅの上下の入力に応じてトラック毎のボリュームの値を調整し、十字ボタン７ｅの左右の入力に応じてトラック毎のパンニングの値を調整する構成であってもよい。またさらに、タッチセンサ８により第１の音源インジケータ４０２がタッチされているか第２の音源インジケータ４０３がタッチされているかに応じてボリューム及びパンニングを調整する対象を背景音楽と録音音声とで切り替える構成であってもよい。
【００７７】
例えば、制御部１０は、第１の音源インジケータ４０２がタッチされている場合、十字ボタン７ｅの上下の入力に応じて背景音楽のボリュームの値を調整し、十字ボタン７ｅの左右の入力に応じて背景音楽のパンニングの値を調整する。また、制御部１０は、第２の音源インジケータ４０３がタッチされている場合、十字ボタン７ｅの上下の入力に応じて録音音声のボリュームの値を調整し、十字ボタン７ｅの左右の入力に応じて録音音声のパンニングの値を調整する。
【００７８】
なお、制御部１０は、例えば、操作部７またはタッチセンサ８による操作に応じて、背景音楽付加モードと、背景音楽が付加されない動画撮影モード（通常の動画撮影モード）とを切り替える。例えば、制御部１０は、背景音楽付加モードと通常の動画撮影モードとをシャッターボタン７ｂのＯＮ／ＯＦＦに応じて切り替える構成であってもよい。
【００７９】
例えば、シャッターボタン７ｂは、筐体２の上面２ａに設けられている。また、タッチセンサ８は、表示部６の表示パネルと一体に形成されているため、筐体２の背面２ｃに設けられている。この為、図４に示されるように、ユーザは、シャッターボタン７ｂを押下しつつタッチセンサ８による操作を容易に入力することができる。
【００８０】
また、制御部１０は、操作部７またはタッチセンサ８による操作に応じて、記録媒体Ｍに記録されている音楽ファイルの中から背景音楽を予め選択する。またさらに、制御部１０は、通常の動画撮影モードから背景音楽付加モードに切り替えが行われた際に、記録媒体Ｍに記録されている音楽ファイルの中から背景音楽をユーザに選択させる構成であってもよい。
【００８１】
記録媒体Ｍに記録されている音楽ファイルの中から背景音楽をユーザに選択させる場合、制御部１０は、記録媒体Ｍに記録されている音楽ファイルのリストを表示部６により表示させる。制御部１０は、音楽ファイルのリストの表示中の操作部７またはタッチセンサ８による操作に応じて、音楽ファイルを背景音楽として選択する。
【００８２】
図５及び図６は、撮像装置１の動作の例を示す。  
撮像装置１の電源がＯＮされた場合、撮像装置１は、図５乃至図６に示す動作を実行する。
【００８３】
撮像装置１の制御部１０は、撮像装置１が撮影モードで動作しているか否か判断する（ステップＳ１１）。撮像装置１は、撮影モード及び再生モードなどの種々の動作モードを有する。撮像装置１は、電源がＯＮされて起動した場合、デフォルトとして設定されているモードで起動する。さらに、撮像装置１は、起動中の操作に応じて動作モードを切り替える。ステップＳ１１で撮影モードではないと判断した場合（ステップＳ１１、ＮＯ）、制御部１０は、後述する図６の処理に移行する。
【００８４】
ステップＳ１１で撮影モードであると判断した場合（ステップＳ１１、ＹＥＳ）、制御部１０は、撮像部４により画像を撮像し、スルー画４０１を取得する（ステップＳ１２）。さらに、制御部１０は、スルー画４０１を表示部６により表示させる（ステップＳ１３）。即ち、制御部１０は、逐次撮像部４により撮像した画像を画像処理部１１に入力させ、画像処理部１１によりスルー画を生成するように撮像部４及び画像処理部１１を制御する。
【００８５】
さらに、制御部１０は、背景音楽付加モードが選択されているか否か判断する（ステップＳ１４）。背景音楽付加モードが選択されていないと判断した場合（ステップＳ１４、ＮＯ）、制御部１０は、ステップＳ１７の処理に移行する。
【００８６】
背景音楽付加モードが選択されていると判断した場合（ステップＳ１４、ＹＥＳ）、制御部１０は、動画に付加する背景音楽を選択する（ステップＳ１５）。例えば、制御部１０は、背景音楽付加モードが選択された場合に記録媒体Ｍに記録されている音楽ファイルのリストを表示部６により表示させる。制御部１０は、音楽ファイルのリストの表示中の操作部７またはタッチセンサ８による操作に応じて、背景音楽として用いる音楽ファイルを選択する。また、背景音楽として用いる音楽ファイルは、予め設定されていてもよい。この場合、制御部１０は、予め不揮発性メモリなどに記憶されている設定情報に基づいて、背景音楽として用いる音楽ファイルを選択する。またさらに、制御部１０は、音楽ファイルのリストの中から背景音楽として用いる音楽ファイルをランダムで選択する構成であってもよい。
【００８７】
制御部１０は、動画に付加する背景音楽に基づいて背景音楽波形を生成し、生成した背景音楽波形を第１の音源インジケータ４０２としてスルー画４０１に重畳させて表示部６に表示させ（ステップＳ１６）、ステップＳ１７の処理に移行する。
【００８８】
制御部１０は、動画の撮影を開始する操作が入力されたか否か判断する（ステップＳ１７）。例えば、制御部１０は、録画ボタン７ｃが操作された場合、動画の撮影を開始する操作が入力されたと判断する。動画の撮影を開始する操作が入力されていないと判断した場合（ステップＳ１７、ＮＯ）、制御部１０は、後述するステップＳ２５の処理に移行する。
【００８９】
制御部１０は、動画の撮影を開始する操作が入力されたと判断した場合（ステップＳ１７、ＹＥＳ）、撮像部４及び集音部５により動画の撮影を開始する（ステップＳ１８）。即ち、制御部１０は、撮像部４により映像を取得し、且つ、集音部５により録音音声を取得するように撮像部４及び集音部５を制御する。さらに、制御部１０は、映像及び録音音声を画像処理部１１及び音声処理部１０ｆによりそれぞれエンコードすることにより、動画ファイルとして記録可能な映像データ及び音源データを生成する。なお、この音源データは、少なくとも録音音声が記録されるトラックに加えて、背景音楽が記録されるトラックを備えていてもよい。
【００９０】
さらに、制御部１０は、録音音声に基づいて録音音声波形を生成し、生成した録音音声波形を第２の音源インジケータ４０３としてスルー画４０１に重畳させて表示させる（ステップＳ１９）。
【００９１】
制御部１０は、動画ファイルに付加する背景音楽があるか否か判断する（ステップＳ２０）。即ち、制御部１０は、背景音楽付加モードが選択されており、動画に付加する背景音楽が選択済みであるか否か判断する。背景音楽付加モードが選択されており、動画に付加する背景音楽が選択済みである場合（ステップＳ２０、ＹＥＳ）、制御部１０は、背景音楽を音源データの第１のトラックに記録し、録音音声を音源データの第２のトラックに記録する。
【００９２】
例えば、制御部１０は、録音音声の先頭と、背景音楽の先頭とを合わせるように背景音楽及び録音音声を記録する。即ち、制御部１０は、動画の撮影開始に背景音楽の先頭から第１のトラックに記録する。
【００９３】
また、制御部１０は、動画の撮影開始前に背景音楽の再生を開始する構成であってもよい。この場合、制御部１０は、動画の撮影開始時の再生位置から背景音楽を第１のトラックに記録する。制御部１０は、背景音楽の再生位置を位置インジケータ４０４により表示させる。さらに、制御部１０は、動画の撮影開始時に位置インジケータ４０４により示された背景音楽の再生位置を先頭として背景音楽を第１のトラックに記録し、録音音声を第２のトラックに記録する。
【００９４】
なお、制御部１０は、動画の撮影開始時に音源データの第１のトラック及び第２のトラックのボリューム及びパンニングの値をデフォルトの値に設定する。
【００９５】
制御部１０は、タッチセンサ８による操作に応じて、音源データの第１のトラック及び第２のトラックのボリューム及びパンニングの値を変更する。この為に、制御部１０は、タッチセンサ８によるスライド操作の有無を判断する（ステップＳ２１）。
【００９６】
スライド操作を検知した場合（ステップＳ２１、ＹＥＳ）、制御部１０は、スライド量に応じて第１のトラックまたは第２のトラックのボリューム及びパンニングの値を調整し（ステップＳ２２）、ステップＳ２３の処理に移行する。制御部１０は、第１のトラックまたは第２のトラックのボリューム及びパンニングの値を調整した場合、変更後の時間枠毎のボリューム及びパンニングの値に基づいて制御情報を生成する。
【００９７】
なお、上記したように、制御部１０は、最初にタッチ操作が入力された位置が第１の音源インジケータ４０２上である場合、スライド量に応じて第１のトラックのボリューム及びパンニングの値を調整する。また、制御部１０は、最初にタッチ操作が入力された位置が第２の音源インジケータ４０３上である場合、スライド量に応じて第２のトラックのボリューム及びパンニングの値を調整する。
【００９８】
また、ステップＳ２０で背景音楽付加モードが選択されていない、または動画に付加する背景音楽が選択されていないと判断した場合（ステップＳ２０、ＮＯ）、制御部１０は、ステップＳ２３の処理に移行する。またさらに、ステップＳ２１でスライド操作を検知しなかった場合（ステップＳ２１、ＮＯ）、制御部１０は、ステップＳ２３の処理に移行する。
【００９９】
制御部１０は、動画の撮影を終了する操作が入力されたか否か判断する（ステップＳ２３）。例えば、制御部１０は、動画の撮影中に録画ボタン７ｃが操作された場合、動画の撮影を終了する操作が入力されたと判断する。
【０１００】
ステップＳ２３で動画の撮影を終了する操作が入力されていないと判断した場合（ステップＳ２３、ＮＯ）、制御部１０は、ステップＳ１８の処理にループし、動画の撮影を継続する。
【０１０１】
ステップＳ２３で動画の撮影を終了する操作が入力されたと判断した場合（ステップＳ２３、ＹＥＳ）、制御部１０は、取得した映像データと、録音音声及び背景音楽を含む音源データと、トラック毎に時間枠毎のパンニングを示す情報（パンニングの値）と時間枠毎のボリュームを示す情報（ボリュームの値）とを含む制御情報と、を動画ファイルとして記録媒体Ｍに記録する（ステップＳ２４）。
【０１０２】
制御部１０は、電源をＯＦＦする操作が入力されたか否か判断する（ステップＳ２５）。例えば、制御部１０は、起動中に電源スイッチ７ａが操作された場合、電源をＯＦＦする操作が入力されたと判断する。ステップＳ２５で電源をＯＦＦする操作が入力されていないと判断した場合（ステップＳ２５、ＮＯ）、制御部１０は、ステップＳ１１の処理にループする。また、ステップＳ２５で電源をＯＦＦする操作が入力されたと判断した場合（ステップＳ２５、ＹＥＳ）、制御部１０は、撮像装置１の電源をＯＦＦし、動作を終了する。
【０１０３】
また、ステップＳ１１で撮像装置１が撮影モードで動作していないと判断した場合（ステップＳ１１、ＮＯ）、図６に示されるステップＳ３１の処理に移行する。制御部１０は、撮像装置１が再生モードで動作しているか否か判断する（ステップＳ３１）。
【０１０４】
撮像装置１が再生モードで動作していないと判断した場合（ステップＳ３１、ＮＯ）、制御部１０は、ステップＳ１１の処理にループする。
【０１０５】
撮像装置１が再生モードで動作していると判断した場合（ステップＳ３１、ＹＥＳ）、制御部１０は、記録媒体Ｍに保存されている画像または動画のリスト（再生リスト）を表示部６の表示パネルに表示させる（ステップＳ３２）。
【０１０６】
制御部１０は、再生するファイルを選択する操作が入力されたか否か判断する（ステップＳ３３）。例えば、制御部１０は、表示部６により表示された再生リストに対するタッチセンサ８によるタッチ操作、または十字ボタン７ｅ及びＯＫボタン７ｆによる選択操作に応じて再生するファイルを選択する。
【０１０７】
再生するファイルを選択する操作が入力されていないと判断した場合（ステップＳ３３、ＮＯ）、制御部１０は、再生モードを終了する操作が入力されたか否か判断する（ステップＳ３４）。例えば、制御部１０は、再生モードの動作中に再生ボタン７ｇが操作された場合、再生モードを終了する操作が入力されたと判断する。再生モードを終了する操作が入力されていないと判断した場合（ステップＳ３４、ＮＯ）、制御部１０は、ステップＳ３３の処理にループする。また、再生モードを終了する操作が入力されたと判断した場合（ステップＳ３４、ＹＥＳ）、制御部１０は、ステップＳ１１の処理にループする。例えば、撮像装置１は、再生ボタン７ｇが操作されて再生モードを終了する場合、デフォルトとして設定されているモードに移行する。
【０１０８】
ステップＳ３３で再生するファイルを選択する操作が入力されたと判断した場合（ステップＳ３３、ＹＥＳ）、制御部１０は、選択された画像または動画を再生する（ステップＳ３５）。この場合、制御部１０は、画像または動画を描画させた再生画面を表示部６に表示させる。
【０１０９】
さらに、制御部１０は、選択されたファイルが動画である場合、背景音楽を追加するか否か判断する（ステップＳ３６）。制御部１０は、動画の再生中の操作入力に応じて背景音楽を追加すると判断する。また、例えば、制御部１０は、シャッターボタン７ｂのＯＮ／ＯＦＦに応じて背景音楽を追加するか否かを切り替える構成であってもよい。なお、選択された動画ファイルの第１のトラックに既に背景音楽が記録されている場合、制御部１０は、背景音楽を追加しないと判断してもよいし、第３のトラックを生成して第３のトラックにさらに背景音楽を追加してもよい。
【０１１０】
背景音楽を追加しないと判断した場合（ステップＳ３６、ＮＯ）、制御部１０は、後述するステップＳ４１の処理に移行する。
【０１１１】
また、背景音楽を追加すると判断した場合（ステップＳ３６、ＹＥＳ）、制御部１０は、動画に付加する背景音楽に基づいて背景音楽波形を生成し、生成した背景音楽波形を第１の音源インジケータ４０２として再生画面に重畳させて表示部６に表示させる（ステップＳ３７）。
【０１１２】
制御部１０は、例えば、ステップＳ３６で動画の再生中の操作入力に応じて背景音楽を追加すると判断した場合、記録媒体Ｍに記録されている音楽ファイルのリストを表示部６により表示させる。制御部１０は、音楽ファイルのリストの表示中の操作部７またはタッチセンサ８による操作に応じて、背景音楽として用いる音楽ファイルを選択する。
【０１１３】
また、背景音楽として用いる音楽ファイルは、予め設定されていてもよい。この場合、制御部１０は、予め不揮発性メモリなどに記憶されている設定情報に基づいて、背景音楽として用いる音楽ファイルを選択する。またさらに、制御部１０は、音楽ファイルのリストの中から背景音楽として用いる音楽ファイルをランダムで選択する構成であってもよい。
【０１１４】
さらに、制御部１０は、再生する動画ファイルの録音音声に基づいて録音音声波形を生成し、生成した背景音楽波形を第２の音源インジケータ４０３として再生画面に重畳させて表示部６に表示させる（ステップＳ３８）。
【０１１５】
なお、制御部１０は、動画ファイルに背景音楽を付加する場合、第１のトラックに背景音楽を記録する。この場合、制御部１０は、新たに背景音楽を追加する第１のトラックのボリューム及びパンニングの値をデフォルトの値に設定する。
【０１１６】
制御部１０は、タッチセンサ８による操作に応じて、背景音楽が記録される第１のトラック及び録音音声が記録されている第２のトラックのボリューム及びパンニングの値を変更する。この為に、制御部１０は、タッチセンサ８によるスライド操作の有無を判断する（ステップＳ３９）。
【０１１７】
ステップＳ３９でスライド操作を検知しなかった場合（ステップＳ３９、ＮＯ）、制御部１０は、ステップＳ４１の処理に移行する。
【０１１８】
また、ステップＳ３９でスライド操作を検知した場合（ステップＳ３９、ＹＥＳ）、制御部１０は、スライド量に応じて第１のトラックまたは第２のトラックのボリューム及びパンニングの値を調整し（ステップＳ４０）、ステップＳ４１の処理に移行する。制御部１０は、第１のトラックまたは第２のトラックのボリューム及びパンニングの値を調整した場合、変更後の時間枠毎のボリューム及びパンニングの値に基づいて制御情報を更新する。
【０１１９】
なお、制御部１０は、最初にタッチ操作が入力された位置が第１の音源インジケータ４０２上である場合、スライド量に応じて第１のトラックのボリューム及びパンニングの値を調整する。また、制御部１０は、最初にタッチ操作が入力された位置が第２の音源インジケータ４０３上である場合、スライド量に応じて第２のトラックのボリューム及びパンニングの値を調整する。
【０１２０】
制御部１０は、動画の再生を終了する操作が入力されたか否か判断する（ステップＳ４１）。例えば、制御部１０は、動画の撮影中に再生ボタン７ｇが操作された場合、動画の再生を終了する操作が入力されたと判断する。
【０１２１】
ステップＳ４１で動画の再生を終了する操作が入力されていないと判断した場合（ステップＳ４１、ＮＯ）、制御部１０は、ステップＳ３９の処理にループし、動画の再生を継続する。
【０１２２】
ステップＳ４１で動画の再生を終了する操作が入力されたと判断した場合（ステップＳ４１、ＹＥＳ）、制御部１０は、動画の再生を終了し、動画ファイルの音源データの第１のトラックに背景音楽を記録し、ステップＳ３１の処理にループする。この場合、制御部１０は、トラック毎の時間枠毎のパンニングを示す情報（パンニングの値）と時間枠毎のボリュームを示す情報（ボリュームの値）とを含む制御情報を動画ファイルに付加する。
【０１２３】
上記のような撮像装置１は、動画の撮影時及び再生時に、録音音声と、動画に付加される背景音楽と、をそれぞれ視覚的に表示部６に表示させる。さらに、撮像装置１は、表示部６の表示とタッチセンサ８による垂直方向の操作入力に応じて録音音声または背景音楽のボリュームの値を調整することができる。またさらに、撮像装置１は、表示部６の表示とタッチセンサ８による左右方向の操作入力に応じて録音音声または背景音楽のパンニングの値を調整することができる。
【０１２４】
これにより、撮像装置１は、背景音楽及び録音音声のボリューム及びパンニングを簡易な操作により調整し、且つ重畳することができる。この結果、より簡易な操作で複数の音源を調整して重畳するストリーム記録装置、及びストリーム記録装置の制御方法を提供することができる。
【０１２５】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１２６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１２７】
１…撮像装置、２…筐体、３…レンズ、４…撮像部、５…集音部、６…表示部、７…操作部、８…タッチセンサ、９…スピーカ、１０…制御部、１０ａ…撮影制御部、１０ｂ…画像処理制御部、１０ｃ…操作判定部、１０ｄ…表示制御部、１０ｅ…記録制御部、１０ｆ…音声処理部、１０ｇ…時計、１１…画像処理部、１２…メモリインターフェース、２０…データバス。
【図１】
2016129313.tif 000003
【図２】
2016129313.tif 000004
【図３】
2016129313.tif 000005
【図４】
2016129313.tif 000006
【図５】
2016129313.tif 000007
【図６】
2016129313.tif 000008